(57)【要約】【課題】水質の良否いずれの地域でも対応できる製氷機を提供する。【解決手段】溢水管１１と給水ポンプ１２とを設けた貯水タンク１３の上部に、導水路１４とノズル１５と還流孔１６とを設けた給水盤１７を一体に取り付け、上記給水ポンプ１２と上記導水路１４とを給水管１８で繋いだ給水機構１０を回転軸１９で支承し、氷片形成時には上記給水盤１７が冷却板２１と一体の製氷皿２０に当接し、氷片完成時には上記給水機構１０が上記回転軸１９を軸にして回動するとともに給水盤１７が傾斜して氷片を排出するようにしてなる製氷機の貯水タンク１３において、上記貯水タンク１３の底面揺動端に排水路２６に通ずる排水孔２７を設け上記給水盤１７が傾斜したとき、貯水タンク１３の底面が上記排水孔２７に向けて下向き傾斜するようにし、該排水孔２７に開閉可能なロックレバー付きスライドバルブ２５を付設してなる。【選択図】図１
2005055090.tif 000002
【特許請求の範囲】
【請求項１】
溢水管１１と給水ポンプ１２とを設けた貯水タンク１３の上部に、導水路１４とノズル１５と還流孔１６とを設けた給水盤１７を一体に取り付け、上記給水ポンプ１２と上記導水路１４とを給水管１８で繋いだ給水機構１０を回転軸１９で支承し、氷片形成時には上記給水盤１７が冷却板２１と一体の製氷皿２０に当接し、氷片完成時には上記給水機構１０が上記回転軸１９を軸にして回動するとともに給水盤１７が傾斜して氷片を排出するようにしてなる製氷機の貯水タンク１３において、上記貯水タンク１３の底面揺動端に排水路２６に通ずる排水孔２７を設け上記給水盤１７が傾斜したとき、貯水タンク１３の底面が上記排水孔２７に向けて下向き傾斜するようにし、該排水孔２７に開閉可能なスライドバルブ２５を付設したことを特徴とする製氷機の貯水タンク。
【請求項２】
上記スライドバルブに開・閉位置を固定するロックレバーを設けたことを特徴とする請求項１に記載の製氷機の貯水タンク。
【請求項３】
上記スライドバルブは、設定された時間毎に、または設定された回数毎に開・閉を切り替えるようにしたことを特徴とする請求項１に記載の製氷機の貯水タンク。
【発明の詳細な説明】
【技術分野】
【０００１】
この発明は、セル形製氷機の貯水タンクであって製氷機の設置環境、すなわち、給水される水質の良否によって貯水タンク内の水の入れ替え条件を適宜変更することができる製氷機の貯水タンクに関する。
【背景技術】
【０００２】
セル形製氷機は、蓄氷室２８の上部に製氷部２４が設けられ（図３参照）、図４に示すように製氷部２４は給水機構３０と、冷却板４１と一体の製氷皿４０とからなっており、給水機構３０は、溢水管３１を設けた貯水タンク３３と給水ポンプ３２と導水路３４とを繋ぐ給水管３８とノズル３５および還流孔３６を穿設した給水盤３７とからなり、給水機構３０は、回転軸３９により回動可能に支承されている。
【０００３】
製氷皿４０は、冷却板４１と一体になり給水盤３７に向かう面には多数のキューブ４３が形成されている。
【０００４】
製氷時は、同図（ｂ）のように給水機構３０全体が回転軸３９を軸にして回転し、製氷皿４０に当接し、給水ポンプ３２によって供給された水は給水管３８、導水路３４を経てノズル３５からキューブ４３内に向けて矢印のように噴出し、冷却板４１によって冷却されて結氷し余分の水は還流孔３６を経て給水タンク３３に還流され、上記キューブ４３への給水（噴水）を繰り返されて氷が成長する。
【０００５】
氷の製造が完了すると給水機構３０全体が回転軸３９を軸に回動して給水盤３７が傾斜し、製氷皿４０は図示しない手段により加温され、氷片はその表面が溶けて落下・排出される。
【０００６】
ここで製氷を効率よく行うには、上記貯水タンク３３の水量を必要最小限に保つことが肝要で給水機構３０全体が傾いたとき、必要最小限の水量を維持するよう貯水タンク３３には溢水管３１が設けられ余分の水は溢水管３１から排出される。
【０００７】
上記構造の貯水タンク３３では、水位は溢水管３１のレベル以下にはならず、水が全部入れ替わることがなく、製氷機の設置環境が悪い（水質が悪い）ときは溶存固形物が多く、長期間運転している間に上記溶存固形物が析出・沈殿することがある。
【０００８】
上記のような事態の対策として、図５に示すように貯水タンク３３が製氷皿４０に当接した状態になったときの溢水管３１の水位を維持し、貯水タンク３３が傾いたとき貯水タンク内の水を全部排水できる位置に排水孔４７を設けて、氷片が排出されるたびに完全に排水するようにしたものが用意されている。
【０００９】
上記のような従来技術では、製氷機が設置される環境に合わせて仕様を決定しなければならず、コストおよび生産性の観点から好ましくなく、いずれの地域でも共用できるもの開発が望まれていた。
【発明の開示】
【発明が解決しようとする課題】
【００１０】
上記状況に鑑みこの発明は、水質の良否いずれの地域でも対応できる製氷機を提供することを課題とする。
【課題を解決するための手段】
【００１１】
上記課題を解決するためにこの発明は、溢水管と給水ポンプとを設けた貯水タンクの上部に、導水路とノズルと還流孔とを設けた給水盤を一体に取り付け、上記給水ポンプと上記導水路とを給水管で繋いだ給水機構を回転軸で支承し、氷片形成時には上記給水盤が冷却板と一体の製氷皿に当接し、氷片完成時には上記給水機構が上記回転軸を軸にして回動するとともに給水盤が傾斜して氷片を排出するようにしてなる製氷機の貯水タンクにおいて、上記貯水タンクの底面揺動端に排水路に通ずる排水孔を設け上記給水盤が傾斜したとき、貯水タンクの底面が上記排水孔に向けて下向き傾斜するようにし、該排水孔に開閉可能なスライドバルブを付設したもので、上記スライドバルブには開・閉位置を固定するロックレバーを設けることができ、また、設定された時間毎、設定された回数毎に開・閉を切り替えるようにすることもできる。
【発明の効果】
【００１２】
上記の如く構成するこの発明によれば、貯水タンクの底面の揺動端に設けた排水孔に開閉可能なスライドバルブを付設することにより、水質の良い地域においては、スライドバルブを閉じて上水を節約し、水質が悪い地域ではスライドバルブを開いて氷片排出のときに溶存固形分の析出・沈殿物を排水とともに洗い流すことができる。また、上記スライドバルブにはロックレバーが設けられているので特別な工具を用いずにスライドバルブの開・閉位置を変更・固定することができる。
【００１３】
また、スライドバルブを設定時間、設定回数ごとに開・閉を切り替えることにより溶存固形分の析出・沈殿の程度に合わせて貯水タンク内の水を入れ替えることができる。
【発明を実施するための最良の形態】
【００１４】
次にこの発明の実施の形態を図１乃至図３を参照しながら説明する。キューブ型製氷機は、図３に示すように蓄氷室２８と製氷部２４とを断熱壁で囲まれてなり、製氷部２４は、給水機構１０と冷却板２１と一体の製氷皿２０とからなっている。
【００１５】
給水機構１０は、溢水管１１、スライドバルブ２５、排水路２６、排水孔２７および給水ポンプ１２を設けた貯水タンク１３の上部に、導水路１４とノズル１５と還流孔１６とを設けた給水盤１７が取り付けられ、上記給水ポンプ１２と導水路１４とは給水管１８で繋がれ、全体はブラケット２９を介して回転軸１９により回動可能に支承されている。
【００１６】
スライドバルブ２５は、図２に示すように貯水タンク１３の底に開けられた排水孔２７の位置にシリンダー２５ｃが設けられ、この中にロッド２５ｂとバルブ２５ａが摺動可能に装入され、シリンダー２５ｃの奥は排水路２６に連通している。
【００１７】
ロッド２５ｂの端にはロックレバー２５ｄが一体に設けられ貯水タンク１３の底に設けられた突起に係合して不用意にバルブが移動しないようになっている。
【００１８】
なお、上記スライドバルブ２５のロックレバー２５ｄに代えてロッド２５ｂの後端に、時間設定または氷片の排出回数を設定し、その設定された時間または回数に応じて作動するソレノイドを取り付けることもできる。
【００１９】
給水機構１０が回転軸１９を軸に回転して揺動端が上昇すると、給水盤１７は製氷皿２０に当接し、ノズル１５と還流孔１６が製氷皿２０の各キューブ２３に臨むようになり、給水ポンプ１２から供給された上水はノズル１５からキューブ２３内に噴出し一部分は結氷し、結氷しない部分は還流孔１６を経て貯水タンク１３に戻り、これを繰り返すことによりキューブ２３内で氷片が完成する。
【００２０】
氷片が完成すると給水機構１０が回転軸１９を軸にして回動傾斜し、図示しない加温手段により製氷皿が加温されて氷片が排出され蓄氷室に蓄積される。
【００２１】
このように貯水タンク１３内の上水の量が多いときは、溢水管１１から溢水し製氷効率の良い水位を保つことになる。また、製氷により上水が消費されて水位が下がっているときは上水給水管２２補給される。
【００２２】
供給される上水の水質が悪く溶存固形物が析出・沈殿した場合は、スライドバルブ２５を開いて氷片が排出されるとき貯水タンク１３内の上水を全部排水して析出・沈殿物を洗い流すようにする。なお、この操作は溶存固形物の析出・沈殿状況に応じて適宜行う。
【００２３】
なお、スライドバルブにソレノイドを装着するものについては、時計回路または係数回路に所望の時間または回数を設定してスライドバルブを開閉する。
【図面の簡単な説明】
【００２４】
【図１】本発明の製氷部の断面図
【図２】スライドバルブの説明図で（ａ）は貯水タンクからの俯瞰図、（ｂ）は図（ａ）のＡ−Ａ矢視図、（ｃ）開状態のスライドバルブ部分断面図、（ｄ）閉状態のスライドバルブ部分断面図
【図３】製氷機の部分切欠き側面図
【図４】従来の製氷部の（ａ）氷片排出状態の断面図、（ｂ）製氷状態の断面図
【図５】別の従来の製氷部の（ａ）氷片排出状態の断面図、（ｂ）製氷状態の断面図
【符号の説明】
【００２５】
１０  給水機構
１１  溢水管
１２  給水ポンプ
１３  貯水タンク
１４  導水路
１５  ノズル
１６  還流孔
１７  給水盤
１８  給水管
１９  回転軸
２０  製氷皿
２１  冷却板
２２  上水給水管
２３  キューブ
２４  製氷部
２５  スライドバルブ
２６  排水路
２７  排水孔
２８  蓄氷室
２９  ブラケット
【図１】
2005055090.tif 000003
【図２】
2005055090.tif 000004
【図３】
2005055090.tif 000005
【図４】
2005055090.tif 000006
【図５】
2005055090.tif 000007